(57)【要約】【課題】  像担持体である被走査体に光書込みを行って静電潜像を形成する光走査装置に備える光偏向装置において、ポリゴンミラーを被う光学カバーが共振することを防止して、大きな騒音が発生することを防止する。【解決手段】  例えばポリゴンモータ５５を支持体５６に取り付けてから、そのポリゴンモータの回転軸５５ａの先端に、回転多面鏡であるポリゴンミラー５７を取り付ける。そして、ポリゴンミラーの上より光学カバー５８をかぶせて後、光学カバーの鍔部５８ａに設けた３つの孔にそれぞれネジ５９を入れてから支持体のネジ孔に取り付け、光学カバーを支持体に取り付ける。そして、光偏向装置が備え、先端が、光学カバーの頂面中央部を押える押圧部材６０の基端を、ハウジング下板５０ａにネジ６１で取り付けて、その押圧部材で光偏向装置を押える。【選択図】        図３
2005122024.tif 000002
【特許請求の範囲】
【請求項１】
キャップ状の光学カバーで被うポリゴンミラーをポリゴンモータによって回転しながら、そのポリゴンミラーに、光源から出射する光束を当てて偏向する光偏向装置において、
前記光学カバーの頂面中央部を押える押圧部材を備えることを特徴とする、光偏向装置。
【請求項２】
前記押圧部材がフィン形状の放熱部を備えることを特徴とする、請求項１に記載の光偏向装置。
【請求項３】
前記押圧部材を導電性材料で作り接地することを特徴とする、請求項１または２に記載の光偏向装置。
【請求項４】
前記光学カバーを前記押圧部材で押え、その押圧部材で前記光学カバーを押え付けて取り付けることを特徴とする、請求項１ないし３のいずれか１に記載の光偏向装置。
【請求項５】
請求項１ないし４のいずれか１に記載の光偏向装置を備えることを特徴とする、光走査装置。
【請求項６】
係合位置決め部を係合することにより回転方向の位置を定めて前記光偏向装置を備えることを特徴とする、請求項５に記載の光走査装置。
【請求項７】
前記押圧部材が、前記光学カバーを押えるとともに、同時に他の光学部材も押えることを特徴とする、請求項５または６に記載の光走査装置。
【請求項８】
請求項５ないし７のいずれか１に記載の光走査装置を備えることを特徴とする、画像形成装置。
【発明の詳細な説明】
【技術分野】
【０００１】
この発明は、例えば、複写機、プリンタ、ファクシミリ、またはそれらの複合機などの、用紙・ＯＨＰフィルム等のシート材に画像を形成する画像形成装置に関する。および、そのような画像形成装置に備え、光源から出射する光束を偏向させ、一様に帯電した像担持体上を走査して、像担持体に静電潜像を形成する光走査装置に関する。および、そのような光走査装置に備え、光学カバーで被うポリゴンミラーをポリゴンモータによって回転しながら、そのポリゴンミラーに、光源から出射する光束を当てて偏向する光偏向装置に関する。
【背景技術】
【０００２】
従来、電子写真方式の画像形成装置では、例えば帯電、光書込みを行って像担持体に静電潜像を形成し、その静電潜像にトナーを付着して現像することにより可視像化し、その可視像化することにより形成した像担持体上のトナー画像を転写して用紙に画像を形成していた。そして、その画像転写後の用紙を、定着装置を通すことにより、未定着転写画像を用紙に定着する一方、画像転写後の像担持体を、クリーニング装置でクリーニングしていた。
【０００３】
この種の画像形成装置において、光書込みを行って像担持体に静電潜像を形成する光走査装置は、光源、シリンドリカルレンズ、光偏向装置、ｆθレンズ、反射ミラーなどを備えていた。
【０００４】
そして、光書込み時、光源から出射する光束をシリンドリカルレンズで略平行光束として後、その略平行光束を光偏向装置で偏向しつつ、偏向後の光束をｆθレンズや反射ミラーなどを介して一様に帯電した像担持体（被走査体）に当てて、像担持体上を走査し、静電潜像を形成していた。
【０００５】
そのような光走査装置が備える従来の光偏向装置の一例を図１０および図１１に示す。光偏向装置は、ポリゴンモータ１を支持体２に取り付けてから、ポリゴンモータ１の回転軸１ａの先端に、回転多面鏡であるポリゴンミラー４を取り付ける。そして、ポリゴンミラー４の上よりキャップ状の光学カバー５をポリゴンミラー４にかぶせて後、図１１に示すように、光学カバー５の鍔部５ａに設けた３つの孔にそれぞれネジ６を入れて支持体２のネジ孔に締め付け、光学カバー５を支持体２に取り付ける。そのような光学カバー５には、開口５ｂを設け、その開口５ｂを塞ぐ透明部材５ｃを設けていた。
【０００６】
このような光偏向装置は、静電潜像形成時、ポリゴンミラー４をポリゴンモータ１によって回転しながら、透明部材５ｃを介して開口５ｂ位置より光学カバー５内に平行光束を入射し、その平行光束をポリゴンミラー４で反射して、透明部材５ｃを介して開口５ｂ位置より光学カバー５外に、偏向した平行光束を出射していた。
【特許文献１】特開平０９―２３６７７２号公報
【特許文献２】特開平１１―０５２２７５号公報
【特許文献３】特開２００２−３０３８１６号公報
【発明の開示】
【発明が解決しようとする課題】
【０００７】
しかし、そのような光偏向装置にあって、光学カバー５の取付時、回転体であるポリゴンミラー４をポリゴンモータ１の回転軸１ａに設計通りに取り付けることが、部品ばらつきや組付ばらつきによって困難であるため、画像形成時、回転体がアンバランスとなってポリゴンミラー４に振動が発生する場合があった。また、ポリゴンミラー４を回転していると、そのポリゴンミラー４の風切りによってポリゴンミラー４に振動が発生する場合があった。さらに、ポリゴンミラー４を回転し始めるときやその回転を停止するときに、例えばポリゴンモータ１をＤＣモータとしたときそのモータの相切替や電磁ムラや電磁音などによってポリゴンモータ１に振動が発生する場合があった。
【０００８】
それらのように、ポリゴンモータ１やポリゴンミラー４に振動が発生すると、その振動で光学カバー５が共振する場合があり、そのような共振があると大きな騒音が発生する問題があった。
【０００９】
また、従来の光偏向装置の中には、光学カバーを複数重ねて備え、それにより防音効果を高めたものもあったが、そのような光偏向装置であっても、上述と同様の理由によりポリゴンモータ１やポリゴンミラー４に振動が発生すると、光学カバーが共振する場合があり、同様の問題があった。
【００１０】
そこで、この発明の第１の目的は、光偏向装置にあって、光学カバーが共振することを防止して、大きな騒音が発生することを防止することにある。
【００１１】
この発明の第２の目的は、光偏向装置にあって、例えばポリゴンミラーの回転が不安定になるなどのポリゴンモータの動作不良の発生を防止することにある。
【００１２】
ところで、従来、光偏向装置の接地が十分でないと、光偏向装置の周囲に配置した装置から発生する電磁妨害波の影響により、ポリゴンモータの動作不良が発生する問題があった。
【００１３】
そこで、この発明の第３の目的は、光偏向装置にあって、ポリゴンモータの動作不良の発生を一層確実に防止することにある。
【００１４】
この発明の第４の目的は、光偏向装置にあって、構成を簡単とすることにある。
【００１５】
この発明の第５の目的は、第１から第４の目的を達成した光偏向装置を備える光走査装置を提供することにある。
【００１６】
この発明の第６の目的は、光走査装置にあって、光偏向装置の方向を間違えて取り付けることを防止することにある。
【００１７】
この発明の第７の目的は、光走査装置にあって、構成を簡単とすることにある。
【００１８】
この発明の第８の目的は、第５から第７の目的を達成した光走査装置を備える画像形成装置を提供することにある。
【課題を解決するための手段】
【００１９】
そのため、請求項１に記載の発明は、上述した第１の目的を達成すべく、
キャップ状の光学カバーで被うポリゴンミラーをポリゴンモータによって回転しながら、そのポリゴンミラーに、光源から出射する光束を当てて偏向する光偏向装置において、
光学カバーの頂面中央部を押える押圧部材を備えることを特徴とする。
【００２０】
請求項２に記載の発明は、上述した第２の目的も達成すべく、
請求項１に記載の光偏向装置において、
押圧部材がフィン形状の放熱部を備えることを特徴とする。
【００２１】
請求項３に記載の発明は、上述した第３の目的も達成すべく、
請求項１または２に記載の光偏向装置において、
押圧部材を導電性材料で作り接地することを特徴とする。
【００２２】
請求項４に記載の発明は、上述した第４の目的も達成すべく、
請求項１ないし３のいずれか１に記載の光偏向装置において、
光学カバーを押圧部材で押え、その押圧部材で光学カバーを押え付けて取り付けることを特徴とする。
【００２３】
請求項５に記載の発明は、上述した第５の目的も達成すべく、
請求項１ないし４のいずれか１に記載の光偏向装置を備えてなる光走査装置であることを特徴とする。
【００２４】
請求項６に記載の発明は、上述した第６の目的も達成すべく、
請求項５に記載の光走査装置において、
係合位置決め部を係合することにより回転方向の位置を定めて光偏向装置を備えることを特徴とする。
【００２５】
請求項７に記載の発明は、上述した第７の目的も達成すべく、
請求項５または６に記載の光走査装置において、
押圧部材が、光学カバーを押えるとともに、同時に他の光学部材も押えることを特徴とする。
【００２６】
請求項８に記載の発明は、上述した第８の目的も達成すべく、
請求項５ないし７のいずれか１に記載の光走査装置を備えてなる画像形成装置であることを特徴とする。
【発明の効果】
【００２７】
請求項１に係る発明によれば、光偏向装置にあって、光学カバーの頂面中央部を押える押圧部材を備えるので、押圧部材で押えて光学カバーの振動を防止して光学カバーを振動に強い構成とし、ポリゴンミラーやポリゴンモータで発生する振動の影響を少なくできるから、光学カバーが共振することを防止して、大きな騒音が発生することを防止することができる。
【００２８】
加えて、押圧部材を備えるだけであるから、簡単な構成で前述した効果を達成できる。
【００２９】
請求項２に係る発明によれば、光偏向装置にあって、押圧部材がフィン形状の放熱部を備えるので、光偏向装置の熱を効率的に放熱することができるから、ポリゴンモータの温度が異常に高くなることを防止して、ポリゴンモータの動作不良の発生を防止することができる。
【００３０】
特に、光学カバーを樹脂材料で形成する場合、金属材料で形成する場合に比し、樹脂材料の方が金属材料よりも熱伝達率が小さいため、光偏向装置の温度が高くなる。このような場合、前述の効果を確実とすることができる。
【００３１】
請求項３に係る発明によれば、光偏向装置にあって、押圧部材を導電性材料で作り接地するので、光偏向装置の周囲に配置した装置から発生する電磁妨害波の影響を少なくできるから、ポリゴンモータの動作不良の発生を一層確実に防止することができる。
【００３２】
加えて、押圧部材を導電性材料で作り接地するので、光偏向装置を接地するための部材を別途、設けることを不要とするから、部品点数を削減して、構成を簡単とすることができる。
【００３３】
請求項４に係る発明によれば、光偏向装置にあって、光学カバーを押圧部材で押えて、その押圧部材で光学カバーを押え付けて取り付けるので、光学カバーを取り付ける、例えばネジなどの取付部材を不要にできるから、構成を簡単とすることができる。
【００３４】
加えて、例えばポリゴンミラーの交換時、取付部材を外したり取り付けたりする作業を不要にできるから、作業性を向上することができる。さらに加えて、光偏向装置を樹脂材料で形成した場合、樹脂材料のネジ孔が破損することを無くすことができるから、光偏向装置全体を交換することを不要とすることができる。
【００３５】
請求項５に係る発明によれば、請求項１ないし４のいずれか１に記載の光偏向装置を備えてなる光走査装置であるので、上述した効果を有する光偏向装置を備える光走査装置を提供することができる。
【００３６】
請求項６に係る発明によれば、光走査装置にあって、係合位置決め部を係合することにより回転方向の位置を定めて光偏向装置を備えるので、光偏向装置の方向を間違えて取り付けることを防止することができる。
【００３７】
請求項７に係る発明によれば、光走査装置にあって、押圧部材が、光学カバーを押えるとともに、同時に他の光学部材も押えるので、他の光学部品を押える部材を減少することができ、構成を簡単とすることができる。
【００３８】
請求項８に係る発明によれば、請求項５ないし７のいずれか１に記載の光走査装置を備えてなる画像形成装置であるので、請求項５ないし７に記載の効果を有する光走査装置を備える画像形成装置を提供することができる。
【発明を実施するための最良の形態】
【００３９】
以下、図面を参照しつつ、この発明の実施の最良形態につき説明する。
図１には、画像形成装置の一例である電子写真方式を用いた複写機の全体概略構成を示す。
【００４０】
図中符号１００は、複写機装置本体（画像形成装置本体）である。複写機装置本体１００上には、画像読取装置２００を取り付ける。また、画像読取装置２００上には、背面側を支点に手前側を上下に開閉自在に自動原稿搬送装置（ＡＤＦ）３００を取り付ける。
【００４１】
複写機装置本体１００には、内部に、作像装置Ｗを備える。作像装置Ｗには、ドラム状の像担持体１０を設ける。この像担持体１０のまわりには、図中左側に配置する帯電装置１１から、像担持体１０の回転方向（反時計方向）Ａに順に、下側に現像装置１２、右斜め下側に転写装置１３、上側にクリーニング装置１４などを配置する。
【００４２】
現像装置１２には、キャリアとトナーとからなる乾式二成分現像剤を撹拌しながら現像剤担持体１２ａへと搬送する撹拌ローラ１６ａ・１６ｂ、現像剤担持体１２ａで担持する現像剤を薄層化する薄層化部材１２ｂなどを設ける。
【００４３】
このような複写機は、図示するように、例えば像担持体１０と帯電装置１１と現像装置１２とクリーニング装置１４とをカートリッジケース内に備えて一体化し、プロセスカートリッジ１５を形成する。そして、そのプロセスカートリッジ１５を、複写機装置本体１００に対して例えば正面側から出し入れして一括して着脱自在とする。
【００４４】
そのようなプロセスカートリッジ１５の図中左側には、光走査装置１７を設ける。その光走査装置１７の光学ハウジング５０内には、図２に示すように、光源５１、シリンドリカルレンズ５２、光偏向装置５３、２枚のｆθレンズ５４ａ、５４ｂ、不図示の反射ミラーなどを設ける。
【００４５】
そのような光走査装置１７などを有し、図１に示す作像装置Ｗを備える複写機装置本体１００内には、ＯＨＰフィルム・用紙などのシート材Ｓを搬送するシート搬送路Ｒを備える。
【００４６】
そのシート搬送路Ｒは、複写機装置本体１００の下部に備えて、シート材Ｓを収納するシートカセット２２から、像担持体１０と転写装置１３との間の転写ニップＤを通過して、図中下方から上方へとのび、そのシート搬送路Ｒに沿って、シートカセット２２からシート材を順次上から１枚ずつ送り出す送出ローラ２３、シート材を搬送する複数のシート搬送ローラ２４、そのシート搬送ローラ２４により搬送するシート材の先端を検知するレジストセンサ２９、搬送するシート材の先端を突き当てて止めるレジストローラ２５、画像定着後のシート材を排出する排出ローラ２６などを備える。
【００４７】
また、複写機装置本体１００には、右側に、手差しシート材を載置する手差しトレイ２７を開閉自在に備え、その手差しトレイ２７からシート材を順次上から１枚ずつ送り出す送出ローラ２８を設ける。
【００４８】
そのようなシート搬送路Ｒの転写ニップＤの下流位置には、定着装置３０を備える。定着装置３０には、内部にヒータ等の熱源を備える定着ローラ３１と、それに所定の圧力で押し当てる加圧ローラ３２とを設ける。
【００４９】
また、シート搬送路Ｒの排出ローラ２６の先には、画像形成済みのシート材をスタックする排出スタック部３４を設ける。
【００５０】
そのような排出スタック部３４の図中下側に設けるものは、現像装置１２に新しいトナーを補給するトナー補給装置３５である。
【００５１】
次に、画像読取装置２００には、光源３６、複数のミラー３７、結像用光学レンズ３８、ＣＣＤ等のイメージセンサ３９などを設ける。そして、画像読取装置２００の上面には、細長のコンタクトガラス４０と幅広のコンタクトガラス４１とを設ける。
【００５２】
それらのコンタクトガラス４０・４１上の自動原稿搬送装置３００には、原稿の載置位置に原稿セット台４３を設けるとともに、排出位置に原稿スタック台４４を設ける。また、原稿を、原稿セット台４３から画像読取装置２００の細長のコンタクトガラス４０上の読取位置を経て原稿スタック台４４まで搬送する原稿搬送路を備える。原稿搬送路には、原稿を搬送する原稿搬送ローラ４５を複数備える。
【００５３】
さて、いまこの複写機を用いてコピーをとるときは、不図示のメインスイッチをオンするとともに、自動原稿搬送装置３００の原稿セット台４３に原稿をセットする。ブック原稿のような場合には、自動原稿搬送装置３００を開いて画像読取装置２００の幅広のコンタクトガラス４１上に直接原稿をセットし、自動原稿搬送装置３００を閉じてそれで押える。
【００５４】
そして、不図示のスタートスイッチを押すと、自動原稿搬送装置３００の原稿セット台４３に原稿をセットしたときは、原稿を原稿搬送ローラ４５により原稿搬送路を通して、細長のコンタクトガラス４０上へと移動してから画像読取装置２００を駆動し、原稿内容を読み取って原稿を原稿スタック台４４上に排出する。一方、幅広のコンタクトガラス４１上に直接原稿をセットしたときは、直ちに画像読取装置２００を駆動する。
【００５５】
画像読取装置２００を駆動すると、画像読取装置２００は、光源３６からの光を細長のコンタクトガラス４０、または幅広のコンタクトガラス４１上の原稿面で反射し、その反射光を複数のミラー３７で反射し、結像用光学レンズ３８を経て、イメージセンサ３９に入れて、そのイメージセンサ３９で原稿内容を読み取る。
【００５６】
また、このとき同時に、不図示のメインモータで像担持体１０を回転し、まず帯電装置１１で表面を一様に例えばマイナスに帯電し、次いで上述の画像読取装置２００で読み取った原稿内容に応じて光走査装置１７を作動して静電潜像を形成する。
【００５７】
すなわち、図２に示す光走査装置１７では、光源５１より原稿内容に応じて変調した光束を出射し、その光束をシリンドリカルレンズ５２で略平行光束としてから、その光束を光偏向装置５３で偏向しつつ、２つのｆθレンズ５４ａ、５４ｂや不図示の反射ミラーを介して、偏向後の光束Ｌを帯電装置１１で一様に帯電した像担持体（被走査体）１０に当てて、像担持体１０上を走査して光書込みを行い静電潜像を形成する。
【００５８】
そして、図１に示す現像装置１２では、撹拌ローラ１６ａ・１６ｂで乾式二成分現像剤を撹拌しながら現像剤担持体１２ａへと搬送し、現像剤担持体１２ａに所定バイアスを印加して現像剤担持体１２ａで現像剤を担持する。その後、現像剤担持体１２ａで担持する現像剤を薄層化部材１２ｂによって薄層化して後、像担持体１０上の静電潜像へ、現像剤担持体４９で担持するトナーを付着してトナー画像を形成し、静電潜像を可視像化する。
【００５９】
また、スタートスイッチを押したとき同時に、送出ローラ２３で、シートカセット２２からシート材Ｓを順次上から１枚ずつ送り出してシート搬送路Ｒに入れ、そのシート材を、シート搬送ローラ２４で搬送して、先端をレジストセンサ２９で検知してからレジストローラ２５に突き当てて止める。
【００６０】
または、手差しシート材をセットした手差しトレイ２７から送出ローラ２８で、シート材Ｓを順次上から１枚ずつ送り出してシート搬送路Ｒに入れ、そのシート材を、シート搬送ローラ２４で搬送してからレジストローラ２５に突き当てて止める。
【００６１】
そして、上述した像担持体１０上のトナー画像にタイミングを合わせてレジストローラ２５を回転して像担持体１０へと送り込む。
【００６２】
それから、像担持体１０へと送り込んだシート材Ｓに、図示例では転写装置１３により転写ニップＤで像担持体１０上のトナー画像を転写して画像を形成する。画像転写後の像担持体１０は、クリーニング装置１４が備えるファーブラシ１４ａとクリーニングブレード１４ｂとでクリーニングし、除電装置４６で像担持体１０上の残留電位を除去して帯電装置１１からはじまる次の画像形成に備える。
【００６３】
一方、画像転写後のシート材Ｓは、定着装置３０に入れ、回転する定着ローラ３１と加圧ローラ３２とのニップに入れて、それらにより熱と圧力を加えてシート材Ｓ上の未定着トナーをシート材に定着する。定着後のシート材は、シート搬送ローラ２４で搬送してから、排出ローラ２６で排出スタック部３４上に排出してそこにスタックする。
【００６４】
なお、図示する複写機は、像担持体１０のまわりに、像担持体１０上のトナー濃度を検知するＰセンサ４７を、現像装置１２に、現像装置１２内のトナー濃度を検知するＴセンサ４８をそれぞれ備える。
【００６５】
そして、それらのＰセンサ４７およびＴセンサ４８により像担持体１０上のトナー濃度を一定に保つ。
【００６６】
例えば、画像形成開始時の立ち上がりの際、像担持体１０上にトナーパターン像を形成して、Ｐセンサ４７によってトナーパターンの濃度および像担持体１０の地肌濃度を検知し、それらの検知したトナーパターンの濃度と地肌濃度によってＴセンサ４８の基準値補正、および地汚れ防止のための帯電バイアスの補正を行う。
【００６７】
一方、Ｔセンサ４８によって、現像装置１２内のトナー濃度を検知し、トナー濃度が低い場合、トナー補給装置３５を作動して、現像装置１２内に新しいトナーを補給する。
【００６８】
さて、そのような複写機装置本体１００内に設ける光走査装置１７が備える光偏向装置５３を図３に示す。
【００６９】
光偏向装置５３には、ポリゴンモータ５５を支持体５６に取り付けてから、ポリゴンモータ５５の回転軸５５ａの先端に、回転多面鏡であるポリゴンミラー５７を取り付ける。そして、ポリゴンミラー５７の上よりキャップ状の光学カバー５８をポリゴンミラー５７にかぶせて後、光学カバー５８の鍔部５８ａに設けた３つの孔にそれぞれネジ５９を入れてから、支持体５６のネジ孔に締め付けて、光学カバー５８を支持体５６に取り付ける。
【００７０】
そのような光学カバー５８には、開口５８ｂを設け、その開口５８ｂを塞ぐ透明部材５８ｃを設ける。そして、透明部材５８ｃで光学カバー５８を密閉して、ポリゴンミラー５７の風切りによって発生する音が、光学カバー５８外に漏れることを防止する。
【００７１】
そのような光学カバー５８を備える光偏向装置５３は、光学ハウジング５０のハウジング下板５０ａに設けた孔５０ｂにポリゴンモータ５５をはめ込んで、光偏向装置５３の支持体５６の下部と、光走査装置１７のハウジング下板５０ａの上部とを当てて、光偏向装置５３の高さ方向の位置を決定してから、不図示の取付部材で光偏向装置５３を光学ハウジング５０に取り付けて透明部材５８ｃの方向を決定し、光偏向装置５３の方向を決定する。
【００７２】
その後、光偏向装置５３が備え、先端が、光学カバー５８の頂面中央部、すなわち頂面の中央、または中央近傍を押える押圧部材６０の基端を、ハウジング下板５０ａにネジ６１で取り付けて、その押圧部材６０で光偏向装置５３を押える。その押圧部材６０は、例えば細長な板状の金属材料を３個所折り曲げて板バネを形成し、その板バネの弾性力によって光学カバー５８を支持体５６の方向へ押す。
【００７３】
このような光偏向装置５３は、静電潜像形成時、光学カバー５８で被うポリゴンミラー５７をポリゴンモータ５５によって回転しながら、光源５１から出射する光束を透明部材５８ｃを介して開口５８ｂ位置より光学カバー５８内に入射し、その光束をポリゴンミラー５７で反射して、透明部材５８ｃを介して開口５８ｂ位置より光学カバー５８外に、偏向した光束を出射する。
【００７４】
よって、光偏向装置５３は、光学カバー５３の頂面中央部を押える押圧部材６０を備えるので、押圧部材６０で押えて光学カバー５８の振動を防止して光学カバー５８を振動に強い構成とし、ポリゴンミラー５７やポリゴンモータ５５で発生する振動の影響を少なくできるから、光学カバー５８が共振することを防止して、大きな騒音が発生することを防止することができる。
【００７５】
加えて、押圧部材６０を備えるだけであるから、簡単な構成で前述した効果を達成することができる。
【００７６】
さて、光走査装置１７が備える光偏向装置５３の別の例を図４に示す。なお、図４に示す光偏向装置５３において、図３に示したものと同様のものには、同一の符号を付して説明を省略する。
【００７７】
この光偏向装置５３は、図３に示した押圧部材６０に比して短い、細長な板状の金属材料を２個所折り曲げて形成した板バネである押圧部材６３を備える。その押圧部材６３は、導電性で接地する光学ハウジング５０のハウジング上板５０ｃと光学カバー５８との間で、光学カバー５８の頂面中央部に配置する。
【００７８】
そして、板バネである押圧部材６３の弾性力によって光学カバー５８を支持体５６の方向へ押す。
【００７９】
よって、光偏向装置５３が備える押圧部材６３を導電性材料で作り接地するので、光偏向装置５３の周囲に配置した装置から発生する電磁妨害波の影響を少なくするから、ポリゴンモータ５５の動作不良の発生を防止することができる。
【００８０】
加えて、押圧部材６３を導電性材料で作り接地するので、光偏向装置５３を接地するための部材を別途、設けることを不要とするから、部品点数を削減して、構成を簡単とすることができる。
【００８１】
さて、光偏向装置５３のさらに別の例を図５に示す。なお、図５に示す光偏向装置５３において、図３に示したものと同様のものには、同一の符号を付して説明を省略する。
【００８２】
この光偏向装置５３が備える光学カバー６４は、図３に示した光学カバー５８の鍔部５８に比して幅の狭い鍔部６４ａを有する。
【００８３】
そして、図３で示すものと同様にして、光学ハウジング５０のハウジング下板５０ａに設けた孔５０ｂに、ポリゴンモータ５５をはめ込んでから押圧部材６０を取り付け、光学カバー６４を押圧部材６０で押え、その押圧部材６０で光学カバー６０を押え付けて取り付ける。
【００８４】
このような構成にすれば、図３に示した光学カバー５８をネジ５９で取り付ける光偏向装置５３に比して、ネジ５９を不要にできるから、構成を簡単とすることができる。
【００８５】
加えて、そのようにネジ５９を不要にできるから、光学カバー６４の鍔部６４ａの幅を狭くすることができ、小型な光偏向装置５３を提供することができる。
【００８６】
さらに加えて、小型な光偏向装置５３を提供できるので、光走査装置１７が備える例えばｆθレンズ５４ａなどの光偏向装置５３の周囲に設ける光学部材の配置にゆとりを持たせることができる。
【００８７】
また、このような光偏向装置５３にあって、例えばポリゴンミラー５７の交換時、先ず、押圧部材６０の先端を弾性力に抗して上に押し上げつつ光学カバー６４を取り外す。その後、ポリゴンミラー５７を交換してから、同様に、押圧部材６０の先端を上に押し上げつつ光学カバー６４を取り付ける。
【００８８】
よって、例えばポリゴンミラー５７の交換時、ネジなどの取付部材を外したり取り付けたりする作業を不要にできるから、作業性を向上することができる。加えて、支持体５６を樹脂材料で形成したときに発生する樹脂材料のネジ孔が破損すること、を無くすことができるから、光偏向装置５３全体を交換することを不要にできる。
【００８９】
さて、光偏向装置５３を備える光走査装置１７の別の例を図６に示す。なお、図６に示す光偏向装置５３において、図３、図５に示したものと同様のものには、同一の符号を付して説明を省略する。
【００９０】
この光偏向装置５３の光学カバー６４には、係合位置決め凹部６４ｄを設ける。また、支持体５６にも同様の形状をした係合位置決め凹部（係合位置決め部）５６ｄを設ける。
【００９１】
一方、光走査装置１７の光学ハウジング５０のハウジング下板５０ａには、ボスである係合位置決め凸部（係合位置決め部）５０ｄを設ける。
【００９２】
そして、図３に示すものと同様に、光学ハウジング５０のハウジング下板５０ａに設けた孔５０ｂに、ポリゴンモータ５５をはめ込むとき、図６に示す光走査装置では、光走査装置１７の係合位置決め凸部５０ｄを、光偏向装置５３の係合位置決め凹部５６ｄに入れて光偏向装置５３の方向、すなわち透明部材５８ｃの軸まわりの位置を決定してから、図６に示す光学カバー６４を押圧部材６０で押え、その押圧部材６０で光学カバー６４を押さえ付けて取り付ける。
【００９３】
よって、光走査装置１７は、係合位置決め部５６ｄ、５０ｄを係合することにより回転方向の位置を定めて光偏向装置５３を備えるので、透明部材５８ｃの方向を設計通りとし、光偏向装置５３の方向を間違えて取り付けることを防止することができる。
【００９４】
なお、上述した例では、光偏向装置５３に係合位置決め凹部５６ｄを、光走査装置１７に係合位置決め凸部５０ｄを設ける例で説明したが、この発明はそれに限られず、凹部５６ｄと凸部５０ｄを逆に設けても、同様の効果を達成することができる。
【００９５】
さて、光偏向装置５３を備える光走査装置１７のさらに別の例を図７および図８に示す。なお、図７および図８に示す光偏向装置５３において、図３、図５に示したものと同様のものには、同一の符号を付して説明を省略する。
【００９６】
この光走査装置１７のハウジング下板５０ａには、例えば柱状の取付部５０ｅを所定の間隔で２本設ける。そして、図３に示すものと同様にして、光走査装置１７の光学ハウジング５０のハウジング下板５０ａに設けた孔５０ｂに、ポリゴンモータ５５をはめ込む。また、ｆθレンズ５４ａを適宜の位置に配置する。その後、押圧部材６６の矩形部６６ａを、ハウジング下板５０ａの取付部５０ｅの上に載せてから、２本のネジ６７で押圧部材６６をハウジング下板５０ａに取り付ける。
【００９７】
その押圧部材６６は、例えば金属材料で形成し、矩形部６６ａより突出する１つの第１押圧部６６ｂと２つの第２押圧部６６ｃとを有する。それら第１押圧部６６ｂと第２押圧部６６ｃの先端は、それぞれ２個所ずつ折り曲げて、板バネを構成する。
【００９８】
よって、押圧部材６６をハウジング下板５０ａに取り付けると、押圧部材６６は、第１押圧部６６ｂの弾性力によって光学カバー６４を押え、第２押圧部６６ｃの弾性力によってｆθレンズ５４を押える。
【００９９】
したがって、押圧部材６６が、光学カバー６４を押えるとともに、同時にｆθレンズ５４ａも押えるので、ｆθレンズ５４ａを押える部材を減少することができ、構成を簡単とすることができる。
【０１００】
なお、上述した例では、押圧部材６６が押える他の光学部材としてｆθレンズ５４の場合を用いて説明したが、この発明はそれに限られず、ｆθレンズ５４以外の他の光学部材、例えば図２に示すシリンドリカルレンズ５２やｆθレンズ５４ｂを押えるようにしても良い。
【０１０１】
さて、光偏向装置５３を備える光走査装置１７のまたさらに別の例を図９に示す。なお、図９に示す光走査装置１７において、図７に示したものと同様のものには、同一の符号を付して説明を省略する。
【０１０２】
図９で示す押圧部材６６には、第１押圧部６６ｂの両側部にフィン形状の放熱部６６ｄを設ける。よって、押圧部材６６がフィン形状の放熱部６６ｄを備えるので、光偏向装置５３の熱を効率的に放熱することができるから、ポリゴンモータ５５の温度が異常に高くなることを防止して、ポリゴンモータの動作不良の発生を防止することができる。
【０１０３】
特に、光学カバー６４を樹脂材料で形成する場合、金属材料で形成する場合に比し、樹脂材料の方が金属材料よりも熱伝達率が小さいため、光偏向装置５３の温度が高くなる。このような場合、前述の効果を確実とすることができる。
【図面の簡単な説明】
【０１０４】
【図１】この発明による画像形成装置の一例であるレーザ複写機の概略構成図である。
【図２】そのレーザ複写機が備える光走査装置の一例の概略構成図である。
【図３】その光走査装置が備える光偏向装置の一例の側面図である。
【図４】その光偏向装置の別の例の側面図である。
【図５】その光偏向装置のまた別の例の平面図である。
【図６】その光走査装置の別の例の平面図である。
【図７】その光走査装置のまた別の例の側面図である。
【図８】その平面図である。
【図９】その光走査装置のさらにまた別の例の平面図である。
【図１０】従来の光偏向装置の側面図である。
【図１１】その平面図である。
【符号の説明】
【０１０５】
１７    光走査装置
５０ｄ  係合位置決め凸部（係合位置決め部）
５１    光源
５３    光偏向装置
５４ａ  ｆθレンズ（他の光学部材）
５５    ポリゴンモータ
５６ｄ  係合位置決め凹部（係合位置決め部）
５７    ポリゴンミラー
５８、６４    光学カバー
６０、６３、６６    押圧部材
６６ｅ  放熱部
【図１】
2005122024.tif 000003
【図２】
2005122024.tif 000004
【図３】
2005122024.tif 000005
【図４】
2005122024.tif 000006
【図５】
2005122024.tif 000007
【図６】
2005122024.tif 000008
【図７】
2005122024.tif 000009
【図８】
2005122024.tif 000010
【図９】
2005122024.tif 000011
【図１０】
2005122024.tif 000012
【図１１】
2005122024.tif 000013